(57)【要約】【課題】弁の配置に要するスペースを削減し、簡易な構成及び操作で、処理塔内部に収容される水処理材の再生を行うことができる、水処理装置及び水処理方法を提供すること。【解決手段】複数並列的に設置された処理塔１０と、各処理塔１０の第１の配管１１に接続された、被処理水供給弁Ｖ３１、第１の流入・流出弁Ｖ３３及び第１の流入・流出弁Ｖ３３を介して接続された第１の共通管１１ａ、第１の共通管１１ａに接続された第１の洗浄液供給弁Ｖ５、第１の共通管１１ａに接続された第１の洗浄液流出弁Ｖ６、各処理塔１０の第２の配管１２に接続された、処理水流出弁Ｖ３２、第２の流入・流出弁Ｖ３４及び第２の流入・流出弁Ｖ３４を介して接続された第２の共通管１２ｂ、第２の共通管１２ｂに接続された第２の洗浄液供給弁Ｖ７、第２の共通管１２ｂに接続された第２の洗浄液流出弁Ｖ８を備える水処理装置１。【選択図】図１
2018038955.tif 000002
【特許請求の範囲】
【請求項１】
それぞれ第１の配管及び第２の配管を備えて複数並列的に設置された処理塔と、
前記各処理塔の前記第１の配管に接続され、前記各処理塔への被処理水の供給及びその停止を制御する被処理水供給弁と、
前記各処理塔の前記第１の配管に接続され、前記各処理塔への所定の流体の流入・流出及びその停止を制御する第１の流入・流出弁と、
前記第１の配管に前記第１の流入・流出弁を介して接続された第１の共通管と、
前記第１の共通管に接続され、前記各処理塔への洗浄液の供給及びその停止を共通して制御する第１の洗浄液供給弁と、
前記第１の共通管に接続され、前記各処理塔からの洗浄液の流出及びその停止を共通して制御する第１の洗浄液流出弁と、
前記各処理塔の前記第２の配管に接続され、前記各処理塔からの処理水の流出及びその停止を制御する処理水流出弁と、
前記各処理塔の前記第２の配管に接続され、前記各処理塔への所定の流体の流入・流出及びその停止を制御する第２の流入・流出弁と、
前記第２の配管に前記第２の流入・流出弁を介して接続された第２の共通管と、
前記第２の共通管に接続され、前記各処理塔への洗浄液の供給及びその停止を共通して制御する第２の洗浄液供給弁と、
前記第２の共通管に接続され、前記各処理塔からの洗浄液の流出及びその停止を共通して制御する第２の洗浄液流出弁と、
を備えることを特徴とする水処理装置。
【請求項２】
前記第１の洗浄液供給弁、前記第２の洗浄液供給弁、前記第１の洗浄液流出弁及び前記第２の洗浄液流出弁は、前記各処理塔から隔離されて設けられた流路切替部に配置されることを特徴とする請求項１記載の水処理装置。
【請求項３】
前記各処理塔は、第３の配管及び第４の配管をさらに有し、
前記各処理塔の前記第２の配管に接続され、前記各処理塔への第１の再生液の供給及び停止を独立に制御する第１の再生液供給弁と、
前記各処理塔の前記第３の配管に接続され、前記各処理塔への第２の再生液の供給及び停止を独立に制御する第２の再生液供給弁と、
前記各処理塔の前記第４の配管に接続され、前記各処理塔からの薬品廃水の流出及び停止を独立に制御する薬品廃水排出弁と、
前記第３の配管及び前記第４の配管を接続する接続管と、
前記接続管に介挿された切替弁と
を備えることを特徴とする請求項１又は２記載の水処理装置。
【請求項４】
前記第１の再生液供給弁及び前記第２の再生液供給弁は、前記流路切替部に配置されることを特徴とする請求項３記載の水処理装置。
【請求項５】
前記各処理塔内部に、活性炭又はろ過材が収容されることを特徴とする請求項１又は２記載の水処理装置。
【請求項６】
前記各処理塔内部に、イオン交換樹脂が収容されることを特徴とする請求項３又は４記載の水処理装置。
【請求項７】
被処理水を複数の処理塔に通流させて並列で処理する水処理方法において、
前記被処理水を前記複数の処理塔のうち少なくとも１塔を用いて処理する通水工程と、
前記複数の処理塔のうち前記通水工程を行わない他の処理塔に洗浄液を通流させて前記他の処理塔の洗浄を行う洗浄工程とを有し、
被処理水供給弁によって、前記各処理塔への被処理水の供給及び停止を独立に制御し、
処理水流出弁によって、前記各処理塔からの処理水の流出及び停止を独立に制御し、
第１の流入・流出弁によって前記処理塔への前記洗浄液の供給及び停止を独立に制御し、
第２の洗浄液供給弁によって前記第１の流入・流出弁への前記洗浄液の供給及び停止を共通に制御し、
第２の流入・流出弁によって前記各処理塔からの前記洗浄液の流出及び停止を独立に制御し、
第２の洗浄液流出弁によって前記第２の流入・流出弁からの前記洗浄液の流出及び停止を共通に制御して、
前記通水工程及び前記洗浄工程を、前記少なくとも１塔の処理塔と、他の処理塔において各々独立して行うことを特徴とする水処理方法。
【請求項８】
さらに、前記洗浄工程後に、前記複数の処理塔のうち前記通水工程を行わない他の処理塔に第１の再生液及び第２の再生液を順に通流させて前記他の処理塔の再生を行う再生工程を有し、
第１の再生液供給弁によって前記各処理塔への前記第１の再生液の供給及び停止を独立に制御し、
第２の再生液供給弁によって前記各処理塔の前記第２の再生液の供給及び停止を共通に制御し、
薬品廃水流出弁によって前記他の処理塔からの前記第１の再生液及び前記第２の再生液の流出及び停止を独立に制御して、
前記通水工程と、前記洗浄工程及び前記再生工程とを、前記少なくとも１塔の処理塔と、前記他の処理塔において各々独立して行うことを特徴とする請求項７記載の水処理方法。
【発明の詳細な説明】
【技術分野】
【０００１】
本発明は、水処理装置及び水処理方法に関する。
【背景技術】
【０００２】
従来、原水の処理において、円筒形等の処理塔内にイオン交換樹脂を内部に備えたイオン交換樹脂装置が用いられている。原水は、このイオン交換樹脂装置を通流する際に、原水中のイオン成分がイオン交換樹脂に吸着されて、純度が高められる。
【０００３】
イオン交換樹脂による水処理においては、原水の処理を長期間続けると、イオン交換樹脂のイオン成分の吸着性能が低下してくる。イオン交換樹脂のイオン成分の吸着性能が低下した際には、イオン交換樹脂の再生を行うことで、イオン交換（吸着）能力が回復される。このイオン交換樹脂の再生においては、イオン交換樹塔内のイオン交換樹脂に、アルカリ性の再生剤又は酸性の再生剤を通流させる。これにより、イオン交換樹脂に吸着されたイオン成分が水酸基や水素原子と置換される（例えば、特許文献１参照。）。
【０００４】
このように、イオン交換樹脂装置においては、原水を処理する工程や、イオン交換樹脂を再生する工程等の各工程に応じて、イオン交換樹脂塔を経た被処理水や再生剤の流路が変更される。そのため、イオン交換樹脂塔の外壁部の前面に、開閉弁によって上記各工程に応じた各種の供給液を供給又は流出させるための配管が複数接続される。
【０００５】
例えば、イオン交換樹脂として、混床式イオン交換樹脂を用いたイオン交換樹脂装置では、イオン交換樹脂の再生剤として酸性再生剤及びアルカリ性再生剤を使用する。そのため、イオン交換樹脂塔には、原水の供給管、処理水の流出管、酸性再生剤の供給管と流出管及びアルカリ性再生剤の供給管と流出管が設けられ、各々自動開閉弁などによって所定の手順に従って開閉されるように構成される。
【０００６】
このため、工程数が増えるに伴って、イオン交換樹脂塔に接続される配管や弁の数が増大してしまい、各弁に要するスペースが増大する。特に、処理流量が大きいイオン交換樹脂塔では、配管や各弁の流路の口径を大きくする必要があり、これに伴い、各弁に要するスペースはさらに増大する。
【０００７】
イオン交換樹脂以外にも、活性炭やろ過材を収容した処理塔においても、同様に、被処理水の処理や逆洗の工程に必要な配管が設けられ、各々自動開閉弁などによって所定の手順に従って開閉されるように構成される。そのため、工程数や処理流量が増えるに伴って、これらの処理塔に設けられる弁の数が増加し、各弁に要するスペースが増大することになる。このように、処理流量の大きい水処理設備では、設備の設置のための敷地面積が増大し易いという問題があった。
【先行技術文献】
【特許文献】
【０００８】
【特許文献１】特開２００１−１１３２７１号公報
【発明の概要】
【発明が解決しようとする課題】
【０００９】
本発明は、上記した課題を解決するためになされたものであって、弁の配置に要するスペースを削減し、簡易な構成及び操作で、処理塔内部に収容される水処理材の再生を行うことができる、水処理装置及び水処理方法を提供することを目的とする。
【課題を解決するための手段】
【００１０】
本発明の水処理装置は、それぞれ第１の配管及び第２の配管を備えて複数並列的に設置された処理塔と、前記各処理塔の前記第１の配管に接続され、前記各処理塔への被処理水の供給及びその停止を制御する被処理水供給弁と、前記各処理塔の前記第１の配管に接続され、前記各処理塔への所定の流体の流入・流出及びその停止を制御する第１の流入・流出弁と、前記第１の配管に前記第１の流入・流出弁を介して接続された第１の共通管と、前記第１の共通管に接続され、前記各処理塔への洗浄液の供給及びその停止を共通して制御する第１の洗浄液供給弁と、前記第１の共通管に接続され、前記各処理塔からの洗浄液の流出及びその停止を共通して制御する第１の洗浄液流出弁と、前記各処理塔の前記第２の配管に接続され、前記各処理塔からの処理水の流出及びその停止を制御する処理水流出弁と、前記各処理塔の前記第２の配管に接続され、前記各処理塔への所定の流体の流入・流出及びその停止を制御する第２の流入・流出弁と、前記第２の配管に前記第２の流入・流出弁を介して接続された第２の共通管と、前記第２の共通管に接続され、前記各処理塔への洗浄液の供給及びその停止を共通して制御する第２の洗浄液供給弁と、前記第２の共通管に接続され、前記各処理塔からの洗浄液の流出及びその停止を共通して制御する第２の洗浄液流出弁とを備えることを特徴とする。
【００１１】
本発明の水処理装置において、前記第１の洗浄液供給弁、前記第２の洗浄液供給弁、前記第１の洗浄液流出弁及び前記第２の洗浄液流出弁は、前記各処理塔から隔離されて設けられた流路切替部に配置されることが好ましい。
【００１２】
本発明の水処理装置において、前記各処理塔は、第３の配管及び第４の配管をさらに有し、前記各処理塔の前記第２の配管に接続され、前記各処理塔への第１の再生液の供給及び停止を独立に制御する第１の再生液供給弁と、前記各処理塔の前記第３の配管に接続され、前記各処理塔への第２の再生液の供給及び停止を独立に制御する第２の再生液供給弁と、前記各処理塔の前記第４の配管に接続され、前記各処理塔からの薬品廃水の流出及び停止を独立に制御する薬品廃水排出弁と、前記第３の配管及び前記第４の配管を接続する接続管と、前記接続管に介挿された切替弁とを備えることが好ましい。
【００１３】
本発明の水処理装置において、前記第１の再生液供給弁及び前記第２の再生液供給弁は、前記流路切替部に配置されることが好ましい。
【００１４】
本発明の水処理装置において、前記各処理塔内部に、活性炭又はろ過材が収容されることが好ましい。また、前記各処理塔内部に、イオン交換樹脂が収容されることが好ましい。
【００１５】
本発明の水処理方法は、被処理水を複数の処理塔に通流させて並列で処理する水処理方法において、前記被処理水を前記複数の処理塔のうち少なくとも１塔を用いて処理する通水工程と、前記複数の処理塔のうち前記通水工程を行わない他の処理塔に洗浄液を通流させて前記他の処理塔の洗浄を行う洗浄工程とを有し、被処理水供給弁によって、前記各処理塔への被処理水の供給及び停止を独立に制御し、処理水流出弁によって、前記各処理塔からの処理水の流出及び停止を独立に制御し、第１の流入・流出弁によって前記各処理塔への前記洗浄液の供給及び停止を独立に制御し、第２の洗浄液供給弁によって前記第１の流入・流出弁への前記洗浄液の供給及び停止を共通に制御し、第２の流入・流出弁によって前記各処理塔からの前記洗浄液の流出及び停止を独立に制御し、第２の洗浄液流出弁によって前記第２の流入・流出弁からの前記洗浄液の流出及び停止を共通に制御して、前記通水工程及び前記洗浄工程を、前記少なくとも１塔の処理塔と、前記他の処理塔において各々独立して行うことを特徴とする。
【００１６】
本発明の水処理方法は、さらに、前記洗浄工程後に、前記複数の処理塔のうち前記通水工程を行わない他の処理塔に第１の再生液及び第２の再生液を順に通流させて前記他の処理塔の再生を行う再生工程を有し、第１の再生液供給弁によって前記各処理塔への前記第１の再生液の供給及び停止を独立に制御し、第２の再生液供給弁によって前記各処理塔の前記第２の再生液の供給及び停止を共通に制御し、薬品廃水流出弁によって前記各処理塔からの前記第１の再生液及び前記第２の再生液の流出及び停止を独立に制御して、前記通水工程と、前記洗浄工程及び前記再生工程とを、前記少なくとも１塔の処理塔と、前記他の処理塔において各々独立して行うことが好ましい。
【発明の効果】
【００１７】
本発明の水処理装置及び水処理方法によれば、弁の配置に要するスペースを削減し、簡易な構成及び操作で、処理塔内部に収容される水処理材の再生を行うことができる。
【図面の簡単な説明】
【００１８】
【図１】実施形態に係る水処理装置を表す図である。
【図２】水処理材として混床式イオン交換樹脂を用いた水処理装置における通水工程を表す図である。
【図３】図２の水処理装置における逆洗工程を表す図である。
【図４】図２の水処理装置におけるアルカリ性再生剤通液工程を表す図である。
【図５】図２の水処理装置における第１の洗浄工程を表す図である。
【図６】図２の水処理装置における水抜き工程を表す図である。
【図７】図２の水処理装置における混合工程を表す図である。
【図８】図２の水処理装置における水張工程を表す図である。
【図９】図２の水処理装置における第２の洗浄工程を表す図である。
【図１０】従来の水処理装置を表す図である。
【図１１】従来の水処理装置の配置を表す図である。
【図１２】実施形態に係る水処理装置の配置を表す図である。
【発明を実施するための形態】
【００１９】
以下、図面を参照して、実施形態を詳細に説明する。
（第１の実施形態）
図１は、第１の実施形態に係る水処理装置１を模式的に表わす図である。図１に示すように、水処理装置１は、被処理水を並列して処理する２基の処理塔１０と、処理塔１０と独立して配置された、流路切替部５０を有している。流路切替部５０には、各処理塔１０へ通流される複数種の流体の流路を切り替える複数の弁が配置されている。
【００２０】
また、流路切替部５０は、所定の処理塔１０への所定の流体の通流及び通流の停止を、各処理塔１０についてそれぞれ独立に切り替える。流路切替部５０には、各処理塔１０への所定の流路の開通及び閉鎖を各処理塔１０に対して独立に切り替える複数の弁が配置されている。
【００２１】
各処理塔１０には、それぞれ、処理塔１０の壁面上部に開口した第１の配管１１と、処理塔１０の下部に開口した第２の配管１２とが接続されている。また、各処理塔１０には、それぞれ、処理塔１０の壁面上部に開口した第３の配管１３と、処理塔１０の上部に開口して処理塔１０内の気体を排出する気体排出管１４とが接続されている。各処理塔１０の、第３の配管１３及び気体排出管１４にはそれぞれ、弁Ｖ１、Ｖ２が介挿されている。
【００２２】
各処理塔１０の内部には、処理塔１０内に供給される被処理水に対して所定の処理を施すための水処理材１５が充填されている。
【００２３】
また、水処理装置１には、処理塔１０に原水を供給するための原水供給部２１、処理塔１０から流出された処理水を回収するための処理水流出部２２、処理塔１０に洗浄液を供給するための洗浄液供給部２３、処理塔１０から流出した洗浄液を回収するための洗浄液流出部２４が接続されている。
【００２４】
原水供給部２１は、共通原水供給管２１ａによって、各処理塔１０に接続されて、各処理塔１０に原水を供給する。共通原水供給管２１ａは、処理塔１０と対応する数の分岐管を有しており、当該分岐管がそれぞれ各処理塔１０の第１の配管１１に接続されている。共通原水供給管２１ａと各処理塔１０の第１の配管１１の接続部には、各処理塔１０への原水の供給と供給停止を各処理塔１０に対して独立に制御する被処理水供給弁Ｖ３１が介挿されている。
【００２５】
処理水流出部２２は、共通処理水流出管２２ａによって、各処理塔１０に接続されている。共通処理水流出管２２ａは処理塔１０と対応する数の分岐管を有しており、当該分岐管がそれぞれ処理塔１０の第２の配管１２に接続されている。共通処理水流出管２２ａと、各処理塔１０の流出管１２の接続部には、各処理塔１０からの処理水の流出と流出停止を各処理塔１０に対して独立に制御する処理水流出弁Ｖ３２が介挿されている。
【００２６】
洗浄液供給部２３及び洗浄液流出部２４は、それぞれ分岐を有する第１の共通管１１ａによって、当該分岐側において各処理塔１０の第１の配管１１に接続されている。洗浄液供給部２３及び洗浄液排出部２４は、それぞれ分岐を有する第２の共通管１２ｂによって、当該分岐側において各処理塔１０の第２の配管１２に接続されている。
【００２７】
各処理塔１０における、第１の共通管１１ａと第１の配管１１の接続部には、それぞれ、各処理塔１０への所定の流体の通流と通流停止を制御する第１の流入・流出弁Ｖ３３が介挿されている。また、各処理塔１０における、第２の共通管１２ｂと第２の配管１２の接続部には、それぞれ、各処理塔１０への所定の流体の通流と通流停止を制御する第２の流入・流出弁Ｖ３４が介挿されている。
【００２８】
第１の共通管１１ａ及び第２の共通管１２ｂの処理塔１０側と反対側の末端にはそれぞれ、洗浄液供給管２３ａ及び洗浄液流出管２４ａ、洗浄液供給管２３ｂ及び洗浄液流出管２４ｂが分岐して設けられている。洗浄液供給管２３ａ、２３ｂが洗浄液供給部２３に接続され、洗浄液流出管２４ａ、２４ｂが洗浄液流出部２４に接続されている。洗液供給管２３ａ、２３ｂには、第１の洗浄液供給弁Ｖ５、第２の洗浄液供給弁Ｖ６が介挿され、洗浄液流出管２４ａ、２４ｂには、第１の洗浄液流出弁Ｖ７、第２の洗浄液流出弁Ｖ８がそれぞれ介挿されている。
【００２９】
上記のように各処理塔１０に接続された第１の配管１１、第２の配管１２、第１の共通管１１ａ、第２の共通管１２ｂ、共通原水供給管２１ａ、共通処理水流出管２２ａ、洗浄液供給管２３ａ、２３ｂ、洗浄液流出管２４ａ、２４ｂの経路によって、原水又は洗浄液を、各処理塔１０内に、上向流又は下降流で通流させる複数の流路が構成される。
【００３０】
この複数の流路は、例えば、処理水流路、上向流の洗浄液流路、下降流の洗浄液流路である。処理水流路は、原水を、原水供給部２１から共通原水供給管２１ａ、第１の配管１１を経て、処理塔１０に下降流で通流させて、第２の配管１２、共通処理水流出管２２ａを経て処理水流出部２２に流出させる流路である。
【００３１】
上向流の再生液流路は、水処理材１５の洗浄液を洗浄液供給部２３から洗浄液供給管２３ｂ、第２の共通管１２ｂ、第２の配管１２を経て処理塔１０に上向流で通流させて、第１の配管１１、第１の共通管１１ａ、洗浄液流出管２４ａを経て、洗浄液流出部２４に流出させる流路である。下降流の再生液流路は、水処理材１５の洗浄液を洗浄液供給部２３から洗浄液供給管２３ｂ、第１の共通管１１ａ、第１の配管１１を経て処理塔１０に下降流で通流させて、洗浄後の洗浄液を、第２の配管１２、第２の共通管１２ｂ、洗浄液流出管２４ｂを経て、洗浄液流出部２４に送る流路である。
【００３２】
流路切替部５０には、洗浄液供給管２３ａ、２３ｂ、洗浄液流出管２４ａ、２４ｂの流路に介挿された弁Ｖ５〜８が配置されており、これら複数の弁の開閉によって、各処理塔１０の、上記した処理水流路、上向流の洗浄液流路、下降流の洗浄液流路等からなる複数の流路を共通に切り替える。
【００３３】
流路切替部５０には、共通原水供給管２１ａ、共通処理水流出管２２ａ、第１の共通管１１ａ、第２の共通管１２ｂと、各処理塔１０の第１の配管１１又は第２の配管１２を接続する配管に設けられた弁Ｖ３１、Ｖ３２、Ｖ３３、Ｖ３４が配置されており、これら複数の弁の開閉によって、所定の処理塔１０への、原水の通流及び洗浄液の通流とこれらの通流の停止を独立に切り替える。
【００３４】
また、水処理装置１において、各水処理塔１０は、第２の共通管１２ｂを介して、窒素ガス供給制御弁Ｖ９によって、窒素ガス供給部２５に接続されている。窒素ガス供給制御弁Ｖ９は、流路切替部５０に配置されている。
【００３５】
弁Ｖ１、Ｖ２、Ｖ５〜９、Ｖ３１〜３４は、例えば、開閉の自動制御可能な弁であり、電動式や空気駆動式の二方調節弁等である。また、弁Ｖ１、Ｖ２、Ｖ５〜９、Ｖ３１〜３４としては、バタフライ弁、ゲート弁、ボール弁、ダイヤフラム弁、グローブ弁、アングル弁等を用いることができる。
【００３６】
水処理装置１は、水処理装置１に備えられる各装置の動作を統括的に制御する制御装置３０を備えている。例えば、制御装置３０が、原水の処理工程及び水処理材１５の洗浄・再生工程に応じて所定のシーケンスで流路切替部５０に配置された上記各弁の開閉を制御する。これにより、各流体の流路を切り替えて、水処理装置１の所定の処理塔１０における原水の処理工程と、水処理材１５の洗浄・再生工程とが切り替えられる。
【００３７】
水処理材１５は、その水処理性能が低下してきたときに洗浄・再生処理が行われるものであり、例えば、活性炭、ろ過材、イオン交換樹脂等である。ろ過材は、アンスラサイト、マンガン砂、濾過砂、ガーネット等である。イオン交換樹脂は、陽イオン交換樹脂、陰イオン交換樹脂、陽イオン交換樹脂と陰イオン交換樹脂を混合した混床イオン交換樹脂、陽イオン交換樹脂と陰イオン交換樹脂を積層した複床イオン交換樹脂等である。
【００３８】
洗浄液は、水処理材１５が、活性炭又はろ過材である場合には、水（洗浄水又は逆洗水）である。これにより、活性炭又はろ過材が洗浄される。洗浄液には、制菌剤、酸化剤等の薬剤が含まれることもある。
【００３９】
また、水処理材１５がイオン交換樹脂である場合、洗浄液に代えて、あるいは洗浄液に加えて、水酸化ナトリウムや水酸化カリウム等のアルカリ性再生剤又は、塩酸等の酸性再生剤を含む再生液が用いられる。例えば、イオン交換樹脂に、再生液が通流させて、イオン交換基を再生した後に、水（洗浄水又は押水）によって洗浄することで、再生処理が行われる。
【００４０】
なお、図１では、２基の処理塔１０を備えた水処理装置１の態様を示したが、処理塔１０の数はこれに限定されず、複数であればよい。水処理装置１が３基以上の処理塔１０を備える場合、上記２基以外のその他の処理塔１０は、上記２基と同様に構成された原水の流路及び洗浄液の流路によって、それぞれ、原水供給部２１、処理水流出部２２、洗浄液供給部２３、洗浄液流出部２４に接続される。すなわち、共通原水供給管２１ａ、共通処理水流出管２２ａ、第１の共通管１１ａ、第２の共通管１２ｂに、当該その他の処理塔１０に対応する分岐管を設け、当該分岐管を当該その他の処理塔１０の第１の配管１１又は第２の配管１２に接続する。これにより、その他の処理塔１０内を経た原水の流路及び再生液の流路が構成される。
【００４１】
そして、上記同様に、その他の処理塔１０の第１の配管１１又は第２の配管１２と、共通原水供給管２１ａ、共通処理水流出管２２ａ、第１の共通管１１ａ、第２の共通管１２ｂの各分岐管との接続部に、各流体の通流及び通流の停止を切り替え制御する複数の弁を設け、当該弁を流路切替部５０に配置する。
【００４２】
これらによって、その他の処理塔１０においても、上記２基の処理塔１０と同様に、流路切替部５０に配置された弁を開閉制御することで、上記その他の処理塔１０における原水の処理工程と水処理材１５の洗浄・再生工程が切り替えられる。
【００４３】
また、図１では、洗浄液供給部２３及び洗浄液流出部２４の組は、１種の洗浄液を流入・流出させる１組のみを図示したが、水処理装置１は、洗浄液以外に、さらに１種又は複数種の再生液が用いられる場合、再生液の種類に対応して、洗浄液供給部及び洗浄液流出部と同様の、１組又は複数組の再生液供給部及び再生液流出部に接続される。例えば、２種の再生液を用いる水処理装置では、再生液供給部及び再生液流出部の組が２組、３種の再生液を用いる水処理装置では３組というように、用いられる再生液の種類に対応した数の再生液供給部及び再生液流出部の組に接続されてもよい。
【００４４】
水処理装置１が複数組の再生液供給部及び再生液流出部と接続される場合、上記と同様に、第１の配管１１及び第２の配管１２を、上記同様の各供給管及び流出管によって、再生液供給部及び再生液流出部に接続する。各供給管及び流出管にはそれぞれ上記同様、各処理塔１０の第１の配管１１及び第２の配管１２との接続部に、各処理塔１０への流体の供給及び供給の停止を制御する弁を設ける。当該弁は上記と共通した流路切替部５０内に配置する。また各供給管及び流出管の再生液供給部及び再生液流出部との接続部には、各処理塔１０における所定の流体の通流と通流停止を、共通して切り替え制御する弁を設ける。当該弁は上記と共通した流路切替部５０内に配置する。
【００４５】
また、上記の態様以外にも、再生液供給部、再生液流出部を、それぞれ、一方の端部に分岐管を有する配管の、当該分岐管によって、各処理塔１０の第１の配管１１又は第２の配管１２のいずれかに接続して、当外分岐管との接続部に上記した被処理水供給弁３１、処理水流出弁３２と同様の弁を設けてもよい。これらの弁は、流路切替部５０内に配置することができる。これにより、上記複数の再生液供給部から所定の流体を、複数の処理塔１０のうちの所望の処理塔１０に独立して供給し、再生液流出部に流出させることができる。
【００４６】
また、各処理塔１０には、再生液や洗浄液を、処理塔１０の高さの中間部から流出させるための、第４の配管を設けてもよい。上記同様に、第４の配管を適宜、配管によって薬品廃水排出部に接続する。第４の配管と上記配管の接続部には、各処理塔１０の第４の配管への所定の流体の流入・流出を独立に制御する弁を設けることができる。当該弁は上記と同様に流路切替部５０に配置することが好ましい。また、各処理塔１０からの当該所定の流体の流出を共通に制御する弁を設けてもよい。
【００４７】
水処理装置１によれば、処理塔１０に付設される弁を配置するためのスペースを削減することができる。特に、純水の造水量が、例えば、４０〜５０００ｍ３／ｈ、好ましくは、１００〜５０００ｍ３／ｈである大型の現場据え付け型の純水製造装置内に配置されることで、上記スペース削減の多大な効果を得られる。
【００４８】
（第２の実施形態）
次に、図２を参照して水処理装置１を用いた水処理方法について、水処理材１５として混床式イオン交換樹脂を用い、被処理水として原水を用いる例を説明する。原水は、水処理材１５が混床式イオン交換樹脂である場合、市水、井水、工業用水等であるが、これらに限定されず、各種水処理材１５での所定の処理に応じてあらかじめ処理の施された所定の水質の原水が使用される。
【００４９】
図２は、水処理材１５として、陽イオン交換樹脂１５ｂと陰イオン交換樹脂１５ａの混合された混床式イオン交換樹脂１５ａｂを用いた水処理装置２を概略的に示す図である。水処理装置２による水処理は、原水を処理する通水工程及び水処理材１５の洗浄・再生を行う洗浄・再生工程によって行う。なお、図２において、太線は、通水工程における流体の流路を示す。また、水処理装置２において、図１に示す水処理装置１と同様の機能を奏する構成には同一の符号を付して重複する説明を省略する。後述する図３〜９についても同様である。
【００５０】
水処理装置２において、各処理塔１０には、処理塔１０の高さの中間部壁面に開口した第４の配管１６が接続されている。第４の配管１６には処理塔１０内から第４の配管１６への所定の流体の通流及びその停止を制御する弁４１が介装されている。
【００５１】
水処理装置２において、各処理塔１０は、それぞれ、原水供給部２１、処理水流出部２２、洗浄液供給部２３、洗浄液流出部２４、窒素ガス（Ｎ２）供給部２５、酸性再生剤供給部２６、アルカリ性再生剤供給部２８、薬品廃水排出部２９に接続されている。
【００５２】
水処理装置２において、洗浄液供給部２３、洗浄液流出部２４と各処理塔１０は、上記水処理装置１における、洗浄液供給部２３、洗浄液流出部２４と同様に処理塔１０に接続されている。
【００５３】
窒素ガス（Ｎ２）供給部２５は、一方の端部に分岐管を有する共通窒素ガス供給管２５ａの、当該分岐管によって、第１の共通管配管１１ａ及び第２の共通管１２ｂに接続されている。共通窒素ガス供給管２５ａの分岐管には、第１の共通管１１ａへの窒素ガスの供給及びその停止を切り替える弁Ｖ３５と、第２の共通管１２ｂへの窒素ガスの供給及びその停止を切り替える弁Ｖ３６が設けられている。弁Ｖ３５、３６は、流路切替部５０に配置することができる。
【００５４】
酸性再生剤供給部２６は、一方の端部に分岐管を有する共通酸性再生剤供給管２６ａの、当該分岐管によって、各処理塔１０の第２の配管１２に接続されている。共通酸性再生剤供給管２６ａと第２の配管１２の接続部には、上記同様の弁Ｖ３８が介挿されている。弁Ｖ３８は、流路切替部５０に配置することができる。
【００５５】
アルカリ性再生剤供給部２８は、分岐管を有する共通アルカリ性再生剤供給管２８ａの、当該分岐管がさらに分岐して、これらによって、各処理塔１０の第３の配管１３及び第４の配管１６に接続されている。当該分岐と第３の配管１３の接続部には、上記同様の弁Ｖ３７が介挿されている。弁Ｖ３７は、流路切替部５０に配置することができる。第３の配管１３と第４の配管１６は弁Ｖ１が介装された接続管によって接続されている。
【００５６】
薬品廃水排出部２９は、分岐管を有する共通薬品廃水排出管２９ａによって、当該分岐管側で、各処理塔１０の第４の配管１６に接続されている。
【００５７】
図２に示す水処理装置２による水処理では、上記各配管に所定の流体を通流させて、原水を処理する通水工程及び水処理材１５の洗浄・再生を行う洗浄・再生工程が行われる。洗浄・再生工程は、逆洗工程、アルカリ性再生剤通液工程、アルカリ性再生剤押出工程、酸性再生剤通液工程、酸性再生剤押出工程、第１の洗浄工程、水抜き工程、混合工程、水張工程、第２の洗浄工程を有している。図２〜図９は、通水工程及び洗浄・再生工程における原水、処理水、再生液、再生廃液等の所定の流体の流路を概略的に示す図である。
【００５８】
通水工程は、各処理塔１０内に原水を下降流の処理水流路によって通流させて行う。通水工程では、各処理塔１０へ原水を通流させる第１の流入・流出弁Ｖ３１、第２の流入・流出弁Ｖ３２を開き、その他の弁を閉じる。これにより、原水供給部２１から、原水を、各処理塔１０に第１の配管１１を介して供給する。各処理塔１０内を通流した処理水は、混床式イオン交換樹脂１５ａｂによってイオン成分が除去されて、第２の配管１２より流出し、処理水流出部２２に送られる（図３）。
【００５９】
次いで、所定の期間通水工程を行って、混床式イオン交換樹脂１５ａｂのイオン成分の吸着性能が低下した際に、各処理塔１０に対して、独立に洗浄・再生工程を行う。本実施形態では、所定の１基の処理塔１０に対して洗浄・再生工程を行いながら（以下、当該処理塔１０を「処理塔１０Ａ」と称する。）、その他の処理塔１０（以下、当該その他の処理塔を「処理塔１０Ｂ」と称する。）により通水工程を行って、原水の処理を継続する。これにより、水処理装置２による原水の処理を停止せずに、各処理塔１０を独立に再生することができる。
【００６０】
この際の、洗浄・再生工程を行う処理塔１０Ａは、水処理装置２の規模や水処理装置２における各処理塔１０の配置などによって適宜選択することができる。水処理装置２が３基以上の処理塔１０を有する場合、洗浄・再生工程を行う処理塔１０Ａは、１基であっても、２基以上であってもよい。また、この際に、通水工程を行う処理塔１０Ｂは、１基であっても、２基以上であってもよい。
【００６１】
処理塔１０Ａの洗浄・再生工程においては、処理塔１０Ｂでは通水工程を継続する。そのため、当該工程では、処理塔１０Ｂでは、上記通水工程で説明したとおり、第１の流入・流出弁Ｖ３１、第２の流入・流出弁Ｖ３２を開いておく。処理塔１０Ｂへのその他の流体の流入・流出及び停止を切り替え制御するその他の弁は閉じておく。
【００６２】
洗浄・再生工程においては、先ず、処理塔１０Ａにおいて逆洗工程を行う。上記上向流の再生液流路によって、処理塔１０Ａ内に逆洗水を通流させて、陰イオン交換樹脂１５ａと陽イオン交換樹脂１５ｂを比重差で分離する。洗浄液供給管２３ｂに接続された第２の洗浄液供給弁Ｖ６と、洗浄液流出管２４ａに接続された第１の洗浄液流出弁Ｖ７を開き、弁Ｖ５、Ｖ８は閉じる。処理塔１０Ａの第１の共通管１１ａに接続された弁Ｖ３３及び第２の共通管１２ｂに接続された弁Ｖ３４を開き、処理塔１０Ａへのその他の流体の流入・流出及び停止を切り替え制御するその他の弁を閉じる。これにより、洗浄液供給部２３から、洗浄液（逆洗水）が、第２の配管１２を介して処理塔１０Ａに供給される。処理塔１０Ａを通流した逆洗水は、第２の配管１１から流出されて、洗浄液流出部２４に送られる（図３）。
【００６３】
次いで、処理塔１０Ａにおいて、陰イオン交換樹脂１５ａを再生するためのアルカリ性再生剤通液工程を行う。弁Ｖ５〜Ｖ８、Ｖ３３、Ｖ３４を閉じ、処理塔１０Ａの、共通アルカリ性再生剤供給管２８ａに接続された弁Ｖ３７を開く。これにより、アルカリ性再生剤供給部２８から、アルカリ性再生剤として、例えば、水酸化ナトリウム（ＮａＯＨ）を含む水溶液が、第３の配管１３を介して処理塔１０Ａに供給され、処理塔１０Ａ内を下降流で通流する。同時に、処理塔１０Ａの、共通酸性再生剤供給管２６ａに介装された弁Ｖ３８を開き、酸性再生剤を含まない押水を、酸性再生剤供給部２７から第２の配管１２を介して処理塔１０Ａに供給し、処理塔１０Ａ内を上向流で通流させる。また、弁Ｖ１を閉じ、処理塔１０Ａの第４の配管１６に介挿された弁Ｖ４１を開いて、処理塔１０Ａを通流したアルカリ性再生廃液及び押水を第４の配管１６から排出し、薬品廃水排出部２９に送る（図４）。処理塔１０Ａへのその他の流体の流入・流出及び停止を切り替え制御するその他の弁は閉じておく。
【００６４】
その後、処理塔１０Ａにおいて、アルカリ性再生剤押出工程を行う。弁Ｖ５〜Ｖ８を閉じ、Ｖ３７、Ｖ３８、Ｖ４１を開いたまま、アルカリ性再生剤を含まない押水をアルカリ性再生剤供給部２８から処理塔１０Ａ内に供給する。また、酸性再生剤を含まない押水を酸性再生剤供給部２６から処理塔１０Ａ内に供給する。処理塔１０内を通流した押水は第４の配管１６から排出され、共通薬品廃水排出管２９ａを介して薬品廃水排出部２９に送られる（図４）。処理塔１０Ａへのその他の流体の流入・流出及び停止を切り替え制御するその他の弁は閉じておく。
【００６５】
さらに、処理塔１０Ａにおいて、陽イオン交換樹脂１５ｂを再生するための酸性再生剤通液工程を行う。弁Ｖ５〜Ｖ８を閉じ、Ｖ３７、Ｖ３８、Ｖ４１を開いたまま、酸性再生剤供給部２６から酸性再生剤として、例えば、塩酸を含む水溶液が処理塔１０Ａ内に供給され、処理塔１０Ａ内を上向流で通流する。同時に、アルカリ性再生剤供給部２８からアルカリ性再生剤を含まない押水が処理塔１０Ａ内供給され、処理塔１０Ａ内を下降流で通流する。処理塔１０Ａ内を通流した塩酸及び押水は、第４の配管１６を介して排出され、薬品廃水排出部２９に送られる（図４）。処理塔１０Ａへのその他の流体の流入・流出及び停止を切り替え制御するその他の弁は閉じておく。
【００６６】
その後、処理塔１０Ａにおいて、酸性再生剤押出工程を行う。弁Ｖ５〜Ｖ８を閉じ、Ｖ３７、Ｖ３８、Ｖ４１を開いたまま、共通酸性再生剤供給管２６ａ及び共通アルカリ性再生剤供給管２８ａから再生剤を含まない押水を、処理塔１０Ａの上方及び下方から供給する。処理塔１０内を通流した押水は、第４の配管１６から排出され、薬品廃水排出部２９に送られる（図４）。処理塔１０Ａへのその他の流体の流入・流出及び停止を切り替え制御するその他の弁は閉じておく。
【００６７】
さらに、処理塔１０Ａにおいて、処理塔１０Ａ内に残留するアルカリ性再生剤及び酸性再生剤を洗浄するための第１の洗浄工程を行う。弁Ｖ７〜Ｖ８を閉じたまま、Ｖ３７、Ｖ３８を閉じ、洗浄液供給管２３ａ、２３ｂに介挿された弁Ｖ５、Ｖ６を開く。また、処理塔１０Ａの、第１の流入・流出弁Ｖ３３、第２の流入・流出弁Ｖ３４を開く。これにより、処理塔１０Ａの上方及び下方から、洗浄液として水が処理塔１０Ａ内に供給される。また、処理塔１０Ａの弁Ｖ４１を開いておき、処理塔１０Ａ内を通流した洗浄後の水が第４の配管１６から排出され、薬品廃水排出部２９に送られる（図５）。処理塔１０Ａへのその他の流体の流入・流出及び停止を切り替え制御するその他の弁は閉じておく。
【００６８】
その後、処理塔１０Ａ内を洗浄後の水を処理塔１０Ａ外に流出させる水抜き工程を行う。弁Ｖ５〜Ｖ８を閉じて、処理塔１０Ａの、共通窒素ガス供給管２５ａに接続された弁Ｖ３５及び第１の流入・流出弁３３を開き、処理塔１０Ａへのその他の流体の供給及び停止を切り替え制御するその他の弁は閉じる。これにより、第１の共通管１１ａを経て、第１の配管１１から処理塔１０Ａ内に窒素ガスが供給される。また、処理塔１０Ａの弁Ｖ１を開いて、処理塔１０内を通流した窒素ガスと、窒素ガスにより押し出された水を第３の配管１３から流出させて、薬品廃水排出部２９に送る（図６）。
【００６９】
次いで、上記水抜き工程で処理塔１０Ａ内の洗浄水が排出された後に、処理塔１０Ａ内の陰イオン交換樹脂１５ａと陽イオン交換樹脂１５ｂを混合する混合工程を行う。上記で処理塔１０Ａ内を洗浄後の水が排出された後、弁Ｖ１、Ｖ３３、Ｖ３５を閉じて、第２の共通管１２ｂに接続された弁Ｖ３６及び第２の流入・流出弁Ｖ３４を開く。これにより、処理塔１０Ａ内に第２の配管１２から窒素ガスが上向流で通流され、陰イオン交換樹脂１５ａと陽イオン交換樹脂１５ｂが混合されて混床式イオン交換樹脂１５ａｂが形成される。このとき、処理塔１０Ａの弁Ｖ２を開くことで、処理塔１０Ａ内を通流した窒素ガスが気体排出管１４から排出される（図７）。
【００７０】
上記混合工程で混床式イオン交換樹脂１５ａｂが形成された後、処理塔１０Ａ内の窒素ガスを排出する水張工程を行う。洗浄液供給管２３ａに介挿された第１の洗浄液供給弁Ｖ５と、洗浄液流出管２４ｂに介挿された第２の洗浄液流出Ｖ８を開く。その他の弁Ｖ６、Ｖ７は閉じる。処理塔１０Ａの第１の流入・流出弁Ｖ３３、第２の流入・流出弁Ｖ３４を開いておく。また、処理塔１０Ａへのその他の流体の供給及び流出を切り替え制御する各弁を閉じる。これにより、洗浄液供給部２３から洗浄液である水が処理塔１０Ａ内に供給される。処理塔１０Ａ内を通流した洗浄後の水は、洗浄液流出部２４に送られる。また、処理塔１０Ａ内の窒素ガスは、弁Ｖ２を介して気体排出管１４から排出される（図８）。
【００７１】
その後、処理塔１０Ａ内の混床式イオン交換樹脂１５ａｂを洗浄する第２の洗浄工程を行う。第２の洗浄工程では、上記水張工程において、処理塔１０Ａ内の窒素ガスが排出された後に、処理塔１０Ａの弁Ｖ２を閉じて、上記水張工程に続けて上記水張工程と同様に水を処理塔１０Ａ内に通流させる（図９）。
【００７２】
上記のように、処理塔１０Ａの洗浄・再生工程の各工程を所定の時間行った後、処理塔１０Ａは通水工程に切り替える。そして、上記処理塔１０Ａの洗浄・再生工程の間に通水工程を行った処理塔１０Ｂについて上記処理塔１０Ａと同様の工程で洗浄・再生工程を行う。
【００７３】
上記各処理塔１０における通水工程及び洗浄・再生工程の各工程は、制御装置３０が所定のシーケンスにしたがって各弁の開閉を制御することで行われる。
【００７４】
また、上記では、水処理材１５として混床式イオン交換樹脂１５ａｂを用いた場合について説明したが、水処理材１５としてその他の種類の水処理材を用いる場合には、洗浄液及び再生液の種類や、処理塔１０への洗浄液及び再生液の通流方向等に基づいて、必要に応じて上記の各工程と同様の弁の開閉を行って、水処理材１５による原水の処理（通水工程）と、水処理材１５の洗浄・再生工程を行うことができる。
【００７５】
水処理装置２によれば、処理塔１０に付設される弁を配置するためのスペースを削減することができる。特に、純水の造水量が、例えば、４０〜５０００ｍ３／ｈ、好ましくは、１００〜５０００ｍ３／ｈである大型の現場据え付け型の純水製造装置に内に配置されることで、上記スペース削減の多大な効果を得られる。
【００７６】
次に、図１に示す本実施形態の水処理装置１における流路切替部５０の作用効果について、従来の水処理装置と対比して説明する。図１０は、従来の水処理装置３を模式的に表わす図である。図１０において、図１と同様の機能を奏する構成には同一の符号を付して重複する説明を省略する。
【００７７】
水処理装置３は原水を並列処理する複数の処理塔１０を備えている。水処理装置３において、流路切替部５１は、各処理塔１０に付設されている。具体的には、流路切替部５１は、処理塔１０の外壁面上に設けられる。
【００７８】
この流路切替部５１は、第１の配管１１に分岐して接続され、それぞれ原水、洗浄液、洗浄後の洗浄液を通流させる原水供給管２１ｄ、洗浄液供給管２３ｄ、洗浄液流出管２４ｄと、第２の配管１２に分岐して接続され、それぞれ、処理水、洗浄液、洗浄後の洗浄液を通流させる処理水流出管２２ｄ、洗浄液供給管２３ｅ、洗浄液流出管２４ｅ、これらの各配管に設けられた弁Ｖ２５、Ｖ２４、Ｖ２３、Ｖ２６、Ｖ２８及びＶ２７からなる。
【００７９】
処理塔１０は、原水供給管２１ｄを介して原水供給部２１に接続され、処理水流出管２２ｄを介して処理水流出部２２に接続されている。また、処理塔１０は、洗浄液供給管２３ｄ、２３ｅを介して洗浄液供給部２３に接続され、洗浄液流出管２４ｄ、２４ｅを介して洗浄液流出部２４に接続されている。水処理装置３では、各処理塔１０は、それぞれに付設された流路切替部５１を介して、上記同様に、原水供給部２１、処理水流出部２２、洗浄液供給部２３、洗浄液流出部２４に接続される。
【００８０】
水処理装置３においては、原水又は洗浄液を処理塔１０に流入・流出させる配管のそれぞれに設けられた弁の開閉によって、原水又は洗浄液の流路を切り替える。例えば、原水を処理する際には、原水供給管２１ｄに設けられた弁Ｖ２５を開、処理水流出管２２ｄに設けられた弁Ｖ２６を開にして、その他の弁Ｖ２３、Ｖ２４、Ｖ２７、Ｖ２８を閉じて、原水供給部２１から原水を処理塔１０に下降流で通流させ、処理水流出部２２に送る。
【００８１】
水処理材１５の洗浄を上向流で行う際には、洗浄液供給管２３ｅに設けられた弁Ｖ２８を開、洗浄液流出管２４ｄに設けられた弁Ｖ２３を開にして、その他の弁Ｖ２４〜Ｖ２７を閉じて、洗浄液を洗浄液供給部２３から処理塔１０に上向流で通流させ、洗浄液流出部２４に流出させる。水処理材１５の洗浄を下降流で行う際には、洗浄液供給管２３ｄに設けられた弁Ｖ２４を開、洗浄液流出管２４ｅに設けられた弁Ｖ２７を開にして、その他の弁Ｖ２３、Ｖ２５、Ｖ２６、Ｖ２８を閉じて、洗浄液を処理塔１０に下降流で通流させる。
【００８２】
このように、各工程に応じた流路を切り替るために、流路切替部５１における弁の開閉操作が、複数の処理塔１０毎に行われる。
【００８３】
上記した従来の水処理装置３においては、複数の処理塔１０に、それぞれ流路切替部５１が付設される。そのため、各処理塔１０の周辺に、複数の流路切替部５１を配置するスペースが必要となる。
【００８４】
図１１に、６台の処理塔１０を有する従来の水処理装置３の配置図を表わす。図１１において、処理塔１０は円筒形の容器であり、直径ｒが３ｍ（３０００ｍｍ）、高さ５１００ｍｍ程度である。図１１において、配管の記載を省略する。１台の処理塔１０での処理流量は、７５〜２００ｍ３／ｈｒである。各処理塔１０には、処理塔１０に被処理水としての原水、処理水、水処理材の洗浄液、再生液の流路を切り替える流路切替部５１が付設されている。１つの流路切替部５１のスペースは、縦２．９ｍ×横３．４ｍ程度である。
【００８５】
通常、水処理装置の設置される施設内では、流路切替部５１に配置される各弁を目視するためのスペースが設けられる。そのため、流路切替部５１を配置する際には、流路切替部５１自体のスペースの他、このようなスペースも必要である。その他、処理塔１０間に人が通行するためのスペースも確保される。この人が通行するためのスペースは例えば、幅が、０．７ｍ（Ｌ１）、１．５ｍ（Ｌ２）、２ｍ（Ｌ３）等である。
【００８６】
このようなスペースを考慮すると、上記の大きさの処理塔１０を６台有する従来の水処理装置２の設置面積は、例えば、１５．３ｍ（Ｌ２４）×１４．６ｍｍ（Ｌ２５）となる。
【００８７】
図１２に、処理塔１０を６台配置した本実施形態の水処理装置１の配置図を表わす。図１２において、処理塔１０は、図１１の従来の処理塔１０と同様の容積及び処理流量である。図１２において、配管の記載を省略する。本実施形態の水処理装置１では、流路切替部５０を配置して、当該流路切替部５０に各処理塔１０に供給される流体を切り替える複数の弁を集約して設置する。
【００８８】
そして、例えば、流路切替部５０を、処理塔１０の設置されるスペースと独立して、水処理装置１の余剰のスペースや、天井などに配置することができる。そのため、従来、複数の処理塔１０に各々付設された流路切替部５１のスペースを削減することができる。本実施形態の水処理装置１では、上記水処理装置２の配置と同様の条件で、水処理装置１の各弁を目視するためのスペースや、人が通行するためのスペースを確保しても、その設置面積は、例えば、１０．７ｍ（Ｌ４）×１３．４ｍｍ（Ｌ５）となる。
【００８９】
次に、実施形態の水処理装置１、２に設置される弁の数と、従来の水処理装置３に設置される弁の数を比較する。表１に、水処理材１５が、活性炭又はろ過材である場合の処理塔１０の数と弁の数を示す。表２に、水処理材１５が、単床のイオン交換樹脂である場合の処理塔１０の数と弁の数を表わす。表３に、水処理材１５が、混床式イオン交換樹脂である場合の処理塔１０の数と弁の数を表わす。なお、水処理材１５が、活性炭又はろ過材である場合には、洗浄・再生工程は、上記実施形態の逆洗工程及び洗浄工程によって行う。水処理材１５が、単床のイオン交換樹脂である場合、洗浄・再生工程は、上記実施形態の逆洗工程、アルカリ性再生剤通液工程（又は酸性再生剤通液工程）、アルカリ性再生剤押出工程（又は酸性再生剤押出工程）及び第１の洗浄工程によって行う。
【００９０】
【表１】
2018038955.tif 000003
【００９１】
【表２】
2018038955.tif 000004
【００９２】
【表３】
2018038955.tif 000005
【００９３】
上記で説明したように、本実施形態の水処理装置によれば、弁の配置に要するスペースを削減することができる。特に、処理流量が多く、流配管や各弁の流路の口径を大きくした水処理装置に適用することで、多大な効果が得られる。また、処理塔の数が多いほど、より多大なスペース削減効果が得られる。洗浄液や再生液の種類が多く、各洗浄液及び再生液の流路を切り替える弁の数が多い場合にも、弁の数を大幅に削減できるため、多大なスペース削減効果が得られる。このように、本実施形態の水処理装置によれば、弁の数を削減して、その配置スペースを削減することで、簡易な構成及び操作で、処理塔内部に収容される水処理材の再生を行うことができる。
【符号の説明】
【００９４】
１，２，３…水処理装置、１０，１０Ａ，１０Ｂ…処理塔、１１…第１の配管、１２…第２の配管、１３…第３の配管、１４…気体排出管、１５…水処理材、１５ａ…混床式イオン交換樹脂、１６…第４の配管、２１…原水供給部、２１ａ，２１ｄ…共通原水供給管、２２…処理水流出部、２２ａ…共通処理水流出管，２３…洗浄液供給部、２３ａ，２３ｂ…洗浄液供給管，２４…洗浄液流出部、２４ａ，２４ｂ…洗浄液流出管、２５…窒素ガス供給部、２５ａ…共通窒素ガス供給管、２６…酸性再生剤供給部、２６ａ…共通酸性再生剤供給管、２８…アルカリ性再生剤供給部、２８ａ…共通アルカリ性再生剤供給管、２９…薬品廃水排出部、２９ａ…共通薬品廃水排出管、３０…制御装置、５０…流路切替部、５１…流路切替部、Ｖ１、Ｖ２、Ｖ５〜Ｖ８、Ｖ２３〜Ｖ２８、Ｖ３１〜Ｖ３８、Ｖ４１…弁（Ｖ１…切替弁、Ｖ３７…第２の再生液供給弁、Ｖ３８…第１の再生液供給弁、Ｖ４１…薬品廃水排出弁）。
【図１】
2018038955.tif 000006
【図２】
2018038955.tif 000007
【図３】
2018038955.tif 000008
【図４】
2018038955.tif 000009
【図５】
2018038955.tif 000010
【図６】
2018038955.tif 000011
【図７】
2018038955.tif 000012
【図８】
2018038955.tif 000013
【図９】
2018038955.tif 000014
【図１０】
2018038955.tif 000015
【図１１】
2018038955.tif 000016
【図１２】
2018038955.tif 000017